(57)【要約】【課題】膨張弁を内蔵しないペア型の室内機と同等の性能を発揮することができ、かつ、ペア型の室内機とマルチ型の室内機との間で部品を共用化し、さらに冷媒音の発生がほとんどない多室形空気調和機を提供すること。【解決手段】本発明の多室形空気調和機は、１台の室外機と、室外機に接続された複数台の室内機とを有し、室外機には圧縮機、四方弁、室外熱交換器、室外膨張弁を備え、複数台の室内機にはそれぞれ室内熱交換器、室内膨張弁、室内ファンを備えた多室形空気調和機であって、複数台の室内機のそれぞれにおいて、室内熱交換器の側方に室内制御器を配設し、室内制御器とは反対側に室内膨張弁とサイレンサーを配設し、室内熱交換器背面に室内膨張弁と室内熱交換器とを接続するストレート配管を配設し、ストレート配管の内部にメッシュを配置する。【選択図】図４
2012112609.tif 000002
【特許請求の範囲】
【請求項１】
１台の室外機と、前記室外機に接続された複数台の室内機とを有し、前記室外機には圧縮機、四方弁、室外熱交換器、室外膨張弁を備え、前記複数台の室内機にはそれぞれ室内熱交換器、室内膨張弁、室内ファンを備えた多室形空気調和機であって、前記複数台の室内機のそれぞれにおいて、前記室内熱交換器の側方に室内制御器を配設し、前記室内制御器とは反対側に室内膨張弁とサイレンサーを配設し、前記室内熱交換器背面に前記室内膨張弁と前記室内熱交換器とを接続するストレート配管を配設し、前記ストレート配管の内部にメッシュを配置することを特徴とする多室形空気調和機。
【請求項２】
前記ストレート配管は２つのブロックで構成され、一方のブロックには室内膨張弁が接続され、他方のブロックには室内熱交換器が接続されている請求項１に記載の多室形空気調和機。
【請求項３】
前記室内膨張弁が接続されているブロックにおいて、前記室内膨張弁へ冷媒が流入する入口配管を、前記室内膨張弁から冷媒が流出する出口配管よりも上部に配置することを特徴とする請求項１または２に記載の多室形空気調和機。
【発明の詳細な説明】
【技術分野】
【０００１】
本発明は、壁掛け用の室内機を複数用いた多室形空気調和機に関するものである。
【背景技術】
【０００２】
従来、この種の多室形空気調和機は、壁掛け用の複数台の室内機と、１台の室外機とで構成され、この各室内機の筐体内に冷媒の流量を調整するための室内膨張弁を収納し、各室内機で冷暖房運転を個別に操作し得るようにしている（例えば、特許文献１参照）。
【０００３】
図８は、特許文献１に記載された従来の多室形空気調和機の一例を示す冷凍サイクル図である。
【０００４】
図８に示すように、多室形空気調和機本体１は、圧縮機２、冷媒の循環方向を切り換える四方弁３、室外熱交換器４、前記冷媒の流量を制御する室外膨張弁５、冷媒配管７および複数台の室内熱交換器６（６ａ〜６ｃ）等で構成され、複数台の室内機１６ａ〜１６ｃと室外機１９に分かれている。
【０００５】
また、室外熱交換器４を通過する空気流を発生させる室外ファン１０、室内熱交換器６ａ〜６ｃをそれぞれ通過する空気流を発生させる室内ファン１２ａ〜１２ｃを有している。
【０００６】
また、圧縮機２の冷媒流出側に設けられる吐出温度検出手段９、室外熱交換器４の所定位置に設けられる室外熱交温度検出手段１１、室外熱交換器４の風上側の所定位置に設けられる室外吸込温度検出手段２０、室内熱交換器６ａ〜６ｃの所定位置にそれぞれ設けられる室内熱交温度検出手段１３ａ〜１３ｃ、室内熱交換器６ａ〜６ｃのガス管側にそれぞれ設けられる室内ガス管温度検出手段２２ａ〜２２ｃ、室内熱交換器６ａ〜６ｃの風上側の所定位置にそれぞれ設けられる室内吸込温度検出手段１４ａ〜１４ｃが設けられている。
【０００７】
また、リモートコントローラ１７ａ〜１７ｃの信号をそれぞれ受信する室内制御器１５ａ〜１５ｃ、室内制御器１５（１５ａ〜１５ｃ）と通信を行う室外制御器１８、室内膨張弁２１ａ〜２１ｃを有する。
【０００８】
また、図９は、特許文献１に記載された従来の室内機の断面概略図である。また、図１０は、特許文献１に記載された従来の室内機のモータ側部分の内部概略図である。
【０００９】
図９および図１０に示すように、室内熱交換器６の背面側を一部カットして、室内膨張弁２１が室内機内部の背面側のスペースに配置されている。
【先行技術文献】
【特許文献】
【００１０】
【特許文献１】特開２００３−３３６８５７号公報
【発明の概要】
【発明が解決しようとする課題】
【００１１】
しかしながら、前記従来の構成では、室内熱交換器の背面側を一部カットするため、膨張弁を内蔵しないペア型の室内機より熱交換効率が悪く性能が出ず、前面側熱交換部の長さと背面側熱交換部の長さが異なるため、ペア型の室内機とマルチ型の室内機との間で室
内熱交換器等の部品を共用化できず、さらに膨張弁を冷媒が通過するときの冷媒音と室内熱交換器内での冷媒音が発生してしまうという課題を有していた。
【００１２】
本発明は、前記従来の課題を解決するもので、膨張弁を内蔵しないペア型の室内機と同等の性能を発揮することができ、かつ、ペア型の室内機とマルチ型の室内機との間で部品を共用化し、さらに冷媒音の発生がほとんどない多室形空気調和機を提供することを目的とする。
【課題を解決するための手段】
【００１３】
前記従来の課題を解決するために、本発明の多室形空気調和機は、１台の室外機と、室外機に接続された複数台の室内機とを有し、室外機には圧縮機、四方弁、室外熱交換器、室外膨張弁を備え、複数台の室内機にはそれぞれ室内熱交換器、室内膨張弁、室内ファンを備えた多室形空気調和機であって、複数台の室内機のそれぞれにおいて、室内熱交換器の側方に室内制御器を配設し、室内制御器とは反対側に室内膨張弁とサイレンサーを配設し、室内熱交換器背面に室内膨張弁と室内熱交換器とを接続するストレート配管を配設し、ストレート配管の内部にメッシュを配置することにより、室内熱交換器の背面側を一部カットしないため、膨張弁を内蔵しないペア型の室内機との間の部品を共用化でき、さらに膨張弁の入口および出口の前後にサイレンサーを配置しているため、膨張弁内の冷媒音を低減できることと、室内熱交換器背面に設置された直線部配管の冷房時の室内熱交換器入口手前にメッシュを内蔵して冷媒を整流してから室内熱交換器に入れるため室内熱交換器内での冷媒音が低減できる。
【発明の効果】
【００１４】
本発明は、膨張弁を内蔵しないペア型の室内機と同等の性能を発揮することができ、かつ、ペア型の室内機とマルチ型の室内機との間で部品を共用化し、さらに冷媒音の発生がほとんどない多室形空気調和機を提供することができる。
【図面の簡単な説明】
【００１５】
【図１】本発明の実施の形態１における室内機の外観斜視図
【図２】同実施の形態１における多室形空気調和機の室内機の正面図
【図３】同実施の形態１における多室形空気調和機の室内機の上面図
【図４】同実施の形態１におけるＦ部詳細図
【図５】同実施の形態１における多室形空気調和機の膨張弁ブロックの上面図
【図６】同実施の形態１における多室形空気調和機の膨張弁ブロックの正面図
【図７】同実施の形態１における多室形空気調和機の室内機の断面概略図
【図８】従来の多室形空気調和機の冷凍サイクル図
【図９】従来の多室形空気調和機の室内機の断面概略図
【図１０】従来の多室形空気調和機の室内機のモータ側部分の内部概略図
【発明を実施するための形態】
【００１６】
第１の発明の多室形空気調和機は、１台の室外機と、室外機に接続された複数台の室内機とを有し、室外機には圧縮機、四方弁、室外熱交換器、室外膨張弁を備え、複数台の室内機にはそれぞれ室内熱交換器、室内膨張弁、室内ファンを備えた多室形空気調和機であって、複数台の室内機のそれぞれにおいて、室内熱交換器の側方に室内制御器を配設し、室内制御器とは反対側に室内膨張弁とサイレンサーを配設し、室内熱交換器背面に室内膨張弁と室内熱交換器とを接続するストレート配管を配設し、ストレート配管の内部にメッシュを配置することにより、室内熱交換器の背面側を一部カットしないため、膨張弁を内蔵しないペア型の室内機との間の部品を共用化でき、さらに膨張弁の入口および出口の前後にサイレンサーを配置しているため、膨張弁内の冷媒音を低減できることと、室内熱交換器背面に設置された直線部配管の冷房時の室内熱交換器入口手前にメッシュを内蔵して
冷媒を整流してから室内熱交換器に入れるため室内熱交換器内での冷媒音が低減できる。
【００１７】
第２の発明の多室形空気調和機は、特に第１の発明において、ストレート配管は２つのブロックで構成され、一方のブロックには室内膨張弁が接続され、他方のブロックには室内熱交換器が接続されていることにより、室内膨張弁側のブロックは、室内熱交換器の長さに関係なく同じ形状で構成することができ、能力に対応して室内熱交換器の長さを伸ばした場合は、ストレート配管の部分の長さを伸ばすことで対応でき、部品の共用化と組立品質向上につながる。
【００１８】
第３の発明の多室形空気調和機は、特に第１または第２の発明において、室内膨張弁が接続されているブロックにおいて、室内膨張弁へ冷媒が流入する入口配管を、室内膨張弁から冷媒が流出する出口配管よりも上部に配置することにより、冷房時は入口側より冷媒が室内膨張弁へ入るため、ここまでの部分には配管への結露が発生せず、配管変形等によって入口側の配管が水受け皿の受け範囲より外側に出ても問題なく膨張弁ブロックの水処理を確実に行うことができる。
【００１９】
以下、本発明の実施の形態について、図面を参照しながら説明する。なお、この実施の形態によって本発明が限定されるものではない。
【００２０】
（実施の形態１）
本実施の形態１における冷凍サイクルの構成は、従来の冷凍サイクルの構成と同じであるため、従来の冷凍サイクルと同じ図８を用い、その説明は背景技術と同じであるため、同じ番号を付して省略する。
【００２１】
図１は、本発明の実施の形態１における室内機の外観斜視図、図２は、同実施の形態１における多室形空気調和機の室内機の正面概略図、図３は、同実施の形態１における多室形空気調和機の室内機の上面外略図である。
【００２２】
図２に示すように、室内熱交換器６の側方の一方には室内制御器１５を配設し、室内制御器１５とは反対側であって、室内熱交換器６の他方には室内膨張弁２１を配設して構成している。
【００２３】
そして、室内膨張弁２１と、室内膨張弁２１の前後に設けられたサイレンサー２６Ａ、２６Ｂと、サイレンサー２６Ａ、２６Ｂと接続される接続配管２７、２８とで、膨張弁ブロックを構成している。そして接続配管２７、２８の一部はストレート形状になっており、室内熱交換器６の背面側に配置され、他方の接続配管（室内膨張弁２１とは逆側から延伸された接続配管）と接続される。そして、膨張弁ブロックは室内熱交換器６に固定されている。
【００２４】
このように、室内熱交換器６の背面側の一部をカットせずに室内膨張弁２１を配置しているので、膨張弁を内部に有しない室内機と室内熱交換器６を共用化することができ、さらに室内膨張弁の前後にサイレンサー２６Ａ、２６Ｂを配置することによって、冷媒が整流され冷媒音を低減することができる。
【００２５】
次に、室内熱交換器６の背面側に設けられたストレート配管（接続配管２７、２８のストレート形状部分）の構成について説明する。
【００２６】
図４は、図３に示すＦ部詳細図である。図４に示すように、接続配管２８（出口配管）にはメッシュ５０が内蔵されている。そのため、冷房運転時に室内熱交換器６へ冷媒が入る直前にも冷媒を整流するため、室内熱交換器６の内部での冷媒音の低減効果を得ること
ができる。
【００２７】
このように、本実施の形態においては、室内熱交換器６の背面側の空いたスペースを有効的に活用してメッシュ５０を配置することで、冷媒音を低減することができる。
【００２８】
図５、図６は膨張弁ブロックの構成図であり、図５は膨張弁ブロックの上面図、図６は膨張弁ブロックの正面図である。
【００２９】
図５に示すように、接続配管２７および接続配管２８のストレート形状部分は、Ａ部とＢ部に分割して構成されている。Ａ部はストレート形状のみの部分であり、Ｂ部は室内膨張弁２１および曲形状部を有する部分である。
【００３０】
このように構成することによって、組み立て性が安定し品質を向上させることができるだけではなく、様々な能力に対応するために室内熱交換器６の長さを長くしても、Ｂ部は共用化することができ、Ａ部の長さを変えるだけで対応することができる。
【００３１】
図７は、室内機の断面図である。図６、図７に示すように膨張弁ブロックの入口配管２３Ａを出口配管２３Ｂよりも上部となるように構成している。これは、入口配管２３Ａ（室内膨張弁２１とサイレンサー２６Ａとの間の配管）および出口配管２３Ｂ（室内膨張弁２１とサイレンサー２６Ｂとの間の配管）に結露した際に、水受け皿２５Ｂで水を受け排水処理を行なう構造であるが、入口配管２３Ａは冷房時に結露は発生しないため、入口配管が変形して水受け皿の受け範囲をはみ出しても結露処理には問題が無いためである。
【産業上の利用可能性】
【００３２】
以上のように、本発明にかかる多室形空気調和機は、室内膨張弁の配置および冷媒配管構成変更することにより、ペア型の室内機との間で部品を共用化でき、また、静音化も図れ、快適性の向上を図ることが可能となるので、多室形空気調和機で、特に室内機に膨張弁を内蔵するインバ−タ機等の用途にも適用できる。
【符号の説明】
【００３３】
６  室内熱交換器
１５  室内制御器
２１  室内膨張弁
２６Ａ  サイレンサー
２６Ｂ  サイレンサー
２７  接続配管
２８  接続配管
５０  メッシュ
【図１】
2012112609.tif 000003
【図２】
2012112609.tif 000004
【図３】
2012112609.tif 000005
【図４】
2012112609.tif 000006
【図５】
2012112609.tif 000007
【図６】
2012112609.tif 000008
【図７】
2012112609.tif 000009
【図８】
2012112609.tif 000010
【図９】
2012112609.tif 000011
【図１０】
2012112609.tif 000012